(57)【特許請求の範囲】
【請求項１】
各種形状のユニット１は外側シート４、内側シート５、連結シート６によって周囲を包囲して厚さのある曲面状の中空体３に形成し、中空体３の両側面に連結部９を形成するとともに、端部には床シート８を内側シート５と一体に連設し、連結部９における外側シート４の周縁に開離嵌挿具付の止水スライドファスナー１０の一方のストリンガ１２を装着し、連結部９の内側シート５の周縁および床シート８の周縁に一連の止水スライドファスナー１０の一方のストリンガ１２を装着し、他のユニット１の連結部９に装着した対応する開離嵌挿具付の止水スライドファスナー１０と連結可能に形成してなることを特徴とするエアテント。
【請求項２】
各ユニット１の形状は、球形体ユニット１７、半円形体ユニット１８、扇形体ユニット１９、分岐ユニット２０から形成し、各ユニット１に給排気口１６を設けるとともに、連結部９の外側シート４、内側シート５および床シート８にそれぞれ共通する長さの止水スライドファスナー１０のストリンガ１２を装着してなる請求項１記載のエアテント。
【請求項３】
各ユニット１の内側シート５の下方または床シート８の上面に床マット３３を接続できる面ファスナー１１を配設してなる請求項１記載のエアテント。
【請求項４】
各ユニット１の内側シート５の天井または側壁上部に吊り具用の吊り金具３２を配設してなる請求項１記載のエアテント。
【請求項５】
各ユニット１の下端から外方へ向けてアンカー２８取付用の補強リング２７を突設し、かつ外側シート４の下にウエイト取付用の取付金具２９を装着してなる請求項１記載のエアテント。
【請求項６】
一部のユニット１に出入口２２を設けてドア体２１を嵌装し、ドア体２１の外側シート４の上辺を蝶着シート２３によって出入口２２の上側へ枢支し、ドア体２１の外側シート４と内側シート５の両側、および出入口２２の両側の外側シート４と内側シート５に止水スライドファスナー１０を装着して開閉自在に形成してなる請求項１記載のエアテント。
【請求項７】
ドア体２１の下縁の外側シート４を延出しその裏面に面ファスナー１１を装着し、出入口２２の下側に設けた敷居２４の外側に面ファスナー１１を随所に装着し、かつドア体２１の内側に引手３０を装着してなる請求項６記載のエアテント。
【請求項８】
ドア体２１は、内側シート５の下方に支柱保持具２５を装着し、ドア体２１を開放したとき、支柱２６によってドア体２１を支持可能に形成してなる請求項６または７記載のエアテント。
【請求項９】
一部のユニット１に窓用開口部３６を設けて窓体３５を嵌装し、窓体３５の外側シート４の上辺を蝶着シート２３によって開口部３６の上側へ枢支し、開口部３６の両側および窓体３５の両側の内側シート５に止水スライドファスナー１０を装着し、かつ窓体３５の外側シート４の下辺を延出してその裏面に面ファスナー１１を装着し、開口部３６の下側における外側シート４の随所に面ファスナー１１を装着し開閉自在に形成してなる請求項１記載のエアテント。
【請求項１０】
窓用開口部３６の下枠部３７は外向へ傾斜し、窓体３５の下縁部３８は開口部３６の傾斜と合致する形に形成し、かつ窓体３５の内側下方に引手３０を装着してなる請求項９記載のエアテント。
【請求項１１】
ユニット１に設けた出入口２２および窓用開口部３６の上側の内側シート５部分に防虫ネット３１を巻上げ式に配置し、該防虫ネット３１の左右両側および先端に面ファスナーを装着し、出入口２２および窓用開口部３６の左右両側および下側の三方の内側シ−ト５に面ファスナーを装着して防虫ネット３１を固定可能に形成してなる請求項６または９記載のエアテント。
【発明の詳細な説明】
【０００１】
【発明の属する技術分野】
この発明は、テントを数個の中空体の部材すなわちユニットを連結することによって完成し、ユニットは種々の形状のものから形成し、このユニットを連結することによって、種々の形状のテントを簡単に作製することができるエアテントに関するものである。
【０００２】
【従来の技術】
従来、Ａ形テントを複数個、テントの端部に取り付けたスライドファスナーによって連結して連棟タイプのテントに形成することが、実開昭５６−１０１０２５号公報、実開平６−５１４３１号公報などに開示されている。また内側膜と外側膜とによる二重膜構造の空気室に加圧気体を注入することにより、立体構造を形成する空気膜構造体を複数個併設して、隣接する空気膜構造体同士を互いに着脱自在に連結する空気膜構造体が特開平１１−２８７０５６号公報に開示されている。
【０００３】
【発明が解決しようとする課題】
前項で述べたテントおよび空気膜構造体は全て定形の部材または空気膜構造体であり、連結して形成されるテントまたは構造体の形態は限られたものである。また空気膜構造体は大型の構造体であり、構造体は建築工事現場、大型機械や装置の修理などの工事現場、仮設展示場などに使用するものである。したがって構造体を分割し構造体同士を連結するため、その連結部分から雨水などの浸入を防ぐのに構造体を圧接する必要がある。そのため緊結バンドとハトメ孔からなる係止部材を用いて構造体を連結するが、雨水の浸入を防ぐのに一定の圧接条件を満たす必要がある。しかも係止部材は構造体の全周面に配置するものでないので、接合面を均一化にする点で難点がある。
【０００４】
この発明は、上記の問題点を考慮して発明されたものであり、この発明のうち請求項１記載の発明は、レジャーなどに用いるエアテントであり、各種の形状を呈する曲面状の中空体の側面を連結し、中空体の連結部の外側と内側を止水スライドファスナーで連結することで、雨水の浸入を二重で防ぐことができ、したがって連結部の圧接がいかなる条件下にあっても雨水の浸入を完全に防止できるエアテントを提供することが主たる目的である。
【０００５】
請求項２記載の発明は、請求項１記載の発明の目的に加え、中空状のユニットを種々の形状に形成し、このユニットを連結することによって、多彩な形のテントを容易に張設できるエアテントを提供することが目的である。
【０００６】
請求項３記載の発明は、請求項１記載の発明の目的に加え、テント内に床マットを簡易に接続して配し、居住性の向上を図ることができるエアテントを提供することが目的である。
【０００７】
請求項４記載の発明は、請求項１記載の発明の目的に加え、テントの内面に各種の器具などを吊り下げるための吊り金具を配して快適なテント生活ができるエアテントを提供することが目的である。
【０００８】
請求項５記載の発明は、請求項１記載の発明の目的に加え、テントが風などで浮揚するのを防ぎ、安定した状態でテントを張設できるエアテントを提供することが目的である。
【０００９】
請求項６記載の発明は、請求項１記載の発明の目的に加え、テントに突き上げタイプのドアを配し、ドアは防水性を具備し、かつテントへの出入の便を図ったエアテントを提供することが目的である。
【００１０】
請求項７記載の発明は、請求項６記載の発明の目的に加え、ドアを閉めたとき安定した状態で保持し、かつ容易に閉めることができるエアテントを提供することが目的である。
【００１１】
請求項８記載の発明は、請求項６または７記載の発明の目的に加え、ドアを開放したとき安定した状態でドアを支持し、テント内の換気の便を図ったエアテントを提供することが目的である。
【００１２】
請求項９記載の発明は、請求項１記載の発明の目的に加え、テントに突き上げタイプの窓を配し、窓は防水性を具備し、かつテント内の換気の便を図ったエアテントを提供することが目的である。
【００１３】
請求項１０記載の発明は、請求項７記載の発明の目的に加え、窓は簡単に排水機能を備えさせることができ、かつ容易にドアの開閉操作ができるエアテントを提供することが目的である。
【００１４】
請求項１１記載の発明は、請求項６または９記載の発明の目的に加え、テントに設けた出入口または開口部に防虫ネットを張設して防虫および通気性を図り、快適なテント生活ができるエアテントを提供することが目的である。
【００１５】
【課題を解決するための手段】
前記の目的を達成するため、この発明のうち請求項１記載の発明は、各種形状のエアテントのユニット１は、全体が外側シート４、内側シート５および側面を連結シート６によって全面を包囲して厚さのある曲面状の中空体３から形成し、この中空体３の両側に連結部９を形成するとともに、端部すなわち下端には床シート８を内側シート５と一体に連設して環状に形成し、連結部９における外側シート４の周縁に開離嵌挿具付の止水スライドファスナー１０の一方のストリンガ１２を取り付け、そして連結部９における内側シート５の周縁および床シート８の周縁に一連の止水スライドファスナー１０の一方のストリンガ１２を環状に取り付け、他のユニット１の連結部９にそれぞれ対応する開離嵌挿具付きの止水スライドファスナー１０の他方のストリンガ１２を取り付けたユニット１を連結できるように形成したエアテントを主な構成とするものである。
【００１６】
請求項２記載の発明は、請求項１記載の発明の構成に加え、中空体３の各ユニット１の形状は、球形体ユニット１７すなわち１／２の半球形体、半円形体ユニット１８すなわち一定の幅を有する半円形体、扇形体ユニット１９すなわち表面が扇形で半円形状の扇形体、分岐ユニット２０すなわち周囲に数個の連結部を有する分岐体から形成し、これらのユニット１に空気を給排気できる給排気口１６を設け、連結部９における外側シート４、内側シート５および床シート８にそれぞれ対応し共通する長さの止水スライドファスナー１０のストリンガ１２を取り付けたエアテントである。
【００１７】
請求項３記載の発明は、請求項１記載の発明の構成に加え、各中空体３のユニット１における内側シート５の下方、または床シート８の上面に床マット３３を接続することができる面ファスナー１１を取り付けたエアテントである。
【００１８】
請求項４記載の発明は、請求項１記載の発明の構成に加え、各中空体３のユニット１の内側シート５の天井部分または側壁上部に器具を吊り下げることができる吊り金具３２を配設したエアテントである。
【００１９】
請求項５記載の発明は、請求項１記載の発明の構成に加え、各中空体３のユニット１の下端に外方へ向けてテントの移動を阻止するためのアンカー２８取付用の補強リング２７を突設し、かつ外側シート４の下辺にテントの浮揚を防ぐためのウエイト取付用の取付金具２９を装着したエアテントである。
【００２０】
請求項６記載の発明は、請求項１記載の発明の構成に加え、一部のユニット１に出入口２２を設け、この出入口２２にドア体２１を嵌装し、ドア体２１の上部の外側シート４に蝶着シート２３を取り付け、この蝶着シート２３の他端を出入口２２の上側の外側シート４に取り付けてドア体２１を突き上げタイプに枢支し、ドア体２１の外側シート４と内側シート５の左右両側、および出入口２２の左右両側の外側シート４と内側シート５にそれぞれ対応する止水スライドファスナー１０を取り付けて開閉自在に形成したエアテントである。
【００２１】
請求項７記載の発明は、請求項６記載の発明の構成に加え、ドア体２１の下縁の外側シート４を延出して、この延出部分に面ファスナー１１を点在状に取り付け、ユニット１の出入口２２の下側に設けた敷居２４の外表面に面ファスナー１１を点在状に取り付けてドア体２１の面ファスナー１１と係脱自在に形成するとともに、ドア体２１の内側にドア体２１の開閉操作ができる引手３０を取り付けたエアテントである。
【００２２】
請求項８記載の発明は、請求項６または７記載の発明の構成に加え、ドア体２１の内側シート５の下方に支柱２６の端部を嵌脱できる支柱保持具２５を取り付け、ドア体２１を突き上げて開放したとき、支柱２６をあてがってドア体２１を支持できるように形成したエアテントである。
【００２３】
請求項９記載の発明は、請求項１記載の発明の構成に加え、一部のユニット１に窓用開口部３６を設け、この開口部３６に窓体３５を嵌装し、窓体３５の上部の外側シート４に蝶着シート２３を取り付け、この蝶着シート２３の他端を開口部３６の上側の外側シート４に取り付けて窓体３５を突き上げタイプに枢支し、開口部３６の左右両側の内側シート５、および窓体３５の左右両側の内側シート５にそれぞれ対応する止水スライドファスナー１０を取り付け、かつ窓体３５の下縁の外側シート４を延出して、この延出部分に面ファスナー１１を点在状に取り付け、開口部３６の下側の外表面に面ファスナー１１を点在状に取り付けて窓体３５の面ファスナー１１と係脱自在に形成したエアテントである。
【００２４】
請求項１０記載の発明は、請求項９記載の発明の構成に加え、ユニット１に設けた窓用開口部３６は、排水性を考えて下枠部３７を外方へ向けて傾斜させ、窓体３５の下縁部３８を開口部３６の傾斜と合致するように形成し、かつ窓体３５の内側下方に窓体３５の開閉操作ができる引手３０を取り付けたエアテントである。
【００２５】
請求項１１記載の発明は、請求項６または９記載の発明の構成に加え、中空体３のユニット１に設けた出入口２２および窓用開口部３６の各上側の内側シート５部分に防虫ネット３１を巻上げ式に収容できるように配置し、この防虫ネット３１の左右両側および先端に面ファスナーを取り付け、ユニット１に設けた出入口２２および窓用開口部３６における左右両側および下側の三方における周縁の内側シート５に面ファスナーを取り付けて繰り出した防虫ネット３１を固定できるように形成したエアテントである。
【００２６】
【発明の実施の形態】
以下、この発明のエアテントの実施の形態について、図面を参照しながら具体的に説明する。
【００２７】
この発明のエアテントは、図１に示すように各種の形状からなる曲面状の中空体３から形成されたユニット１を複数個連結してエアテントを形成する。中空体３のユニット１は表面を外側シート４、内面を内側シート５、側面を連結シート６によって、周囲を包囲する形で中空体３を形成し、この中空体３の両側面に連結部９を形成するとともに、端部すなわち下端に床シート８を内側シート５と一体に連結して環状に形成し、さらに図２および図７に示すように、ユニット１の随所に曲面長手方向に沿って、外側シート４と内側シート５とを連結する仕切シート７が設けられ、外側シート４と内側シート５が離反するのを防ぐように形成する。
【００２８】
各ユニット１に用いられているシート類たとえば外側シート４、内側シート５、連結シート６、仕切シート７、床シート８の全ての素材は、ポリエステル系あるいはポリアミド系の合成繊維糸を用いて織製または編成した生地にポリウレタンなどの熱可塑性樹脂を両面または片面にコーティング加工して防水性を具備し、シート類の接合は超音波加工などによって溶着して接合する。またユニット１を連結するのに用いる止水スライドファスナーは、図４に示すようにポリエステル系またはポリアミド系の合成繊維糸から織製または編成した生地から形成したファスナーテープ１３の一側縁にファスナーエレメント１４を取り付け、ファスナーエレメント１４が存在しないファスナーテープ１３の表面にポリウレタンなどの熱可塑性樹脂をコーティング加工して防水皮膜を形成し、ファスナーテープ１３の突き合わせ部のコーティング部分がファスナーテープ１３よりも突出し、かつ隆起状に盛り上がるように形成して防水性を備えさせて止水スライドファスナー１０を形成する。
【００２９】
なお、エアテントの目的および形態によっては、止水スライドファスナーに代えて、より優れた機能を有する完全に気密性、水密性を備えている防水スライドファスナーを用いて、完全な防水エアテントに作製することもできる。
【００３０】
各ユニット１は、外側シート４と内側シート５とを端部において両シート４，５を連結シート６によって連結して連結部９を形成し、この連結部９に配するユニット１を連結する止水スライドファスナー１０は、図３に示すように外側シート４と連結シート６とを接合した部分に止水スライドファスナー１０のファスナーエレメント１４が内側に配するように重合して溶着する。このとき一方のユニット１には開離嵌挿具の箱体と箱棒とを装備したストリンガ１２を取り付け、このユニット１と連結する他のユニット１の連結部９には、開離嵌挿具の蝶棒を装備したストリンガ１２を装着して、前記ユニット１に装備した箱体、箱棒を備えたストリンガ１２と組み合わせて連結し、ユニット１の表面側を連結する。
【００３１】
また内側シート５と連結シート６とを接合した部分に止水スライドファスナー１０のファスナーエレメント１４が露呈しない形で内側に配するように重合して溶着する。このとき一方のユニット１には開離嵌挿具の箱体と箱棒とを装備したストリンガ１２を取り付け、このユニット１と連結する他のユニット１の連結部９には、開離嵌挿具の蝶棒を装備したストリンガ１２を装着して、前記ユニット１に装着した箱体および箱棒を備えたストリンガ１２と組み合わせ連結し、ユニット１の裏面側を連結する。
【００３２】
止水スライドファスナー１０の装着は前記のとおりであるが、止水スライドファスナー１０の配置は、図２に示すようにユニット１の外側シート４に取り付ける止水スライドファスナー１０はＳ点を基点としてＥ点まで巡らし、Ｓ点に開離嵌挿具を配し、Ｅ点には上止具が配される。次にユニット１の内側シート５および床シート８に巡らす止水スライドファスナー１０は、Ｓ点を基点としてＥ点まで一連に取り付け、Ｓ点に開離嵌挿具を配し、Ｅ点に上止具が配されるように装着する。なお外側シート４と内側シート５とを仕切シート７によって連結し随所に通気孔１５を設けて隣室との通気を図る。
【００３３】
図１に示すように両側に球形体ユニット１７を配し、中間に２個の半円形体ユニット１８を止水スライドファスナー１０で連結すると図５〜６に示すようにエアテントが組み立てられる。エアテントの一部のユニット１には出入口２２を設けてドア体２１を嵌脱自在に配し、また一部のユニット１には窓用開口部３６を設けて窓体３５を嵌脱自在に配する。
【００３４】
ユニット１に設ける出入口２２は、図８に示すようにドア体２１を突き上げ式に開口するように設け、ドア体２１の上部の外側シート４とユニット１の外側シート４との間に蝶着シート２３を溶着して枢支する。ドア体２１の表面の外側シート４の下縁は延出して延出部分を設けこの裏面に面ファスナー１１を点在状に配設し、また敷居２４の表面の外側シート４に面ファスナー１１を点在状に配置して、ドア体２１を閉めたとき延出部分の面ファスナー１１と係合させる。
【００３５】
出入口２２の外側シート４における蝶着シート２３の端部から下端に向けての左右両側に止水スライドファスナー１０を取り付け、またドア体２１の外側シート４における蝶着シート２３の端部から下端に向けての左右両側に止水スライドファスナー１０を取り付けて出入口２２の止水スライドファスナー１０と開閉自在に形成する。さらに出入口２２の内側シート５における左右両側に止水スライドファスナー１０を取り付け、またドア体２１の内側シート５における左右両側に止水スライドファスナー１０を取り付けて出入口２２の止水スライドファスナーを開閉自在に形成する。なおエアテント内に人が居る場合は、テントの内側の止水スライドファスナーのみを開閉し、外側の止水スライドファスナーは開口したままである。また人が外部に居る場合は内側の止水スライドファスナーは開口したままで、外側のスライドファスナーのみを開閉使用する。
【００３６】
ドア体２１の内側下部に支柱保持具２５を内側シート５に設置して、ドア体２１を突き上げたとき支柱２６を保持して出入口２２の開口を維持する。ドア体２１の内側の内側シート５には、ドア体２１を引き寄せるための引手３０を設け、また出入口２２の上縁内側の内側シート５に巻上げ式の防虫ネット３１を配置し、この防虫ネット３１は左右両側と先端に面ファスナーを配設し、出入口２２の左右両側と下側の三方の内側シート５に面ファスナーを配設して防虫ネット３１の面ファスナーと係脱して開閉する。なおドア体２１には外側に給排気口１６を設けて給排気を行う。
【００３７】
ユニット１に設ける窓用開口部３６は図９に示すように窓体３５を突き上げ式に開口できるように設け、開口部３６に窓体３５を嵌め込み、窓体３５の上部の外側シート４とユニット１の外側シート４との間に蝶着シート２３を溶着し、連結することによって枢支する。窓用開口部３６の下枠部３７は外方へ向けて下向する傾斜面に形成することによって水の排水を良くする。窓体３５の外側シート４を下縁部３８よりも延出し、この延出部分の裏面に面ファスナー１１を点在状に取り付ける。また窓体３５の下縁部３８は開口部３６の下枠部３７の傾斜面に合致させ左右両側および窓体３５の左右両側の内側シート５にそれぞれ止水スライドファスナー１０を取り付けて開閉自在に形成する。窓体３５の内側下方に引手３０を取り付けて窓体３５の開閉操作を行う。
【００３８】
さらに開口部３６の内側上部の内側シート５に防虫ネット３１を巻上げ式に配置し、この防虫ネット３１の左右両側と先端に面ファスナーを配設するとともに、開口部３６の左右両側と下側の三方の内側シート５に面ファスナーを配設して防虫ネット３１の面ファスナーと係脱して開閉する。なお窓体３５の外側に給排気口１６を設けて給排気を行う。
【００３９】
各ユニット１には図１０に示すように外側シート４に給排気口１６を設けて給排気を行い仕切シート７で仕切られた各室には仕切シート７に設けた通気孔１５を通して給排気を行う。また床シート８の端面に面ファスナー１１を取り付けて床マット３３の裏面に取り付けた面ファスナー１１と係脱して床マット３３を固定する。なお床マット３３を固定する面ファスナーを内側シート５の下部に設けてもよい。さらにユニット１の外側シート４の下端にアンカー２８を取り付けるための補強リング２７を突出状に設ける。
【００４０】
このエアテントには各ユニット１の外表面に図６に示すように外側シート４の下方にウエイト取付用の取付金具２９を取り付けてテントの浮揚を防ぐように形成し、また図７に示すように、テント内の天井または側壁上部には各種の器具を吊り下げるための吊り金具３２を設け、たとえば照明器具などを吊り下げることができるように形成する。
【００４１】
このエアテントは各種形体のユニット１を連結することによって各種形状のエアテントを張設することができる。たとえば図１１，１２に示すエアテントは、中心に周囲に連結部９を設けた分岐ユニット２０に対し、２個所の連結部９に球形体ユニット１７を連結し、また他の２個所の連結部９には半円形体ユニット１８を連結してその先端に球形体ユニット１７をそれぞれ連結したエアテントである。各ユニット１の連結部９には共通の止水スライドファスナー１０が取り付けられ、各種ユニット１と連結できるように形成されている。
【００４２】
図１３に示すエアテントは、三方に連結部９を有する分岐ユニット２０に２個の半円形体ユニット１８を連結し、その先端に球形体ユニット１７をそれぞれ連結する。また連結部９の一個所には球形体ユニット１７を連結したエアテントである。図１４に示すエアテントは球形体ユニット１７に半円形体ユニット１８を連結し、その先に４個の扇形体ユニット１９を連結し、先端に球形体ユニット１７を連結してエアテントで、湾曲状のテントが完成する。
【００４３】
さらに図１５に示すエアテントは２個の半円形体ユニット１８に扇形体ユニット１９を１６個連結した状態のエアテントであり、大型のテントに仕上げることができる。エアテントの形状は、これらの各種形状のユニット１を組み合わせることによって、いろいろ多彩な形状のエアテントをきわめて容易に作成することができる。
【００４４】
【発明の効果】
この発明のエアテントは、以上説明したとおりの構成であり、この構成によって下記の効果を奏する。
【００４５】
この発明のうち請求項１記載の発明は、各種形状のユニットは外側シート、内側シート、連結シートによって周囲を包囲して厚さのある曲面状の中空体に形成し、中空体の両側面に連結部を形成するとともに、端部には床シートを内側シートと一体に連設したことによって、エアテントはユニットを単に連結すればよいから、テントの張設、分解、運搬が容易にできる効果がある。
【００４６】
さらに、連結部における外側シートの周縁に開離嵌挿具付の止水スライドファスナーの一方のストリンガを装着し、連結部の内側シートの周縁および床シートの周縁に一連の止水スライドファスナーの一方のストリンガを装着し、他のユニットの連結部に装着した対応する開離嵌挿具付の止水スライドファスナーと連結可能に形成したことによって、各ユニットを簡単に組み付け、分離でき、かつ連結部分は表裏二個所で止水スライドファスナーで密閉できるので、雨水の浸入を二重で防ぎ完全防水性のテントが得られる効果がある。
【００４７】
請求項２記載の発明は、請求項１記載の発明の効果に加え、各ユニットの形状は、球形体ユニット、半円形体ユニット、扇形体ユニット、分岐ユニットから形成し、各ユニットに給排気口を設けるとともに、連結部の外側シート、内側シートおよび床シートにそれぞれ共通する長さの止水スライドファスナーのストリンガを装着したことによって、各種のエアテントのユニットを組み合わせることができ、その結果多彩なエアテントを張設することができる効果がある。
【００４８】
請求項３記載の発明は、請求項１記載の発明の効果に加え、各ユニットの内側シートの下方または床シートの上面に床マットを接続できる面ファスナーを配設したことによって、各種のエアテント内に床マットを容易に敷き詰めることができる効果がある。
【００４９】
請求項４記載の発明は、請求項１記載の発明の効果に加え、各ユニットの内側シートの天井または側壁上部に吊り具用の吊り金具を配設したことによって、各種器具たとえば照明器具などを簡単に配することができ、快適なテント生活ができる効果がある。
【００５０】
請求項５記載の発明は、請求項１記載の発明の効果に加え、各ユニットの下端から外方へ向けてアンカー取付用の補強リングを突設し、かつ外側シートの下辺にウエイト取付用の取付金具を装着したことによって、エアテントの移動または浮揚を未然に防ぎ、安心してテント生活ができる効果がある。
【００５１】
請求項６記載の発明は、請求項１記載の発明の効果に加え、一部のユニットに出入口を設けてドア体を嵌装し、ドア体の外側シートの上辺を蝶着シートによって出入口の上側へ枢支し、ドア体の外側シートと内側シートの両側、および出入口の両側の外側シートと内側シートに止水スライドファスナーを装着して開閉自在に形成したことによって、エアテントに出入口を設け、かつドア体も設けて両者を簡単な止水スライドファスナーによって完全に防水し、気密性が保たれる効果がある。
【００５２】
請求項７記載の発明は、請求項６記載の発明の効果に加え、ドア体の下縁の外側シートを延出し、その裏面に面ファスナーを装着し、出入口の下側に設けた敷居の外側に面ファスナーを随所に装着し、かつドア体の内側に引手を装着したことによって、ドア体は風圧などで煽られて開放されることを簡単に防ぐとともに、ドア体を簡易に開閉操作ができる効果がある。
【００５３】
請求項８記載の発明は、請求項６または７記載の発明の効果に加え、ドア体は、内側シートの下方に支柱保持具を装着し、ドア体を開放したとき、支柱によってドア体を支持可能に形成したことによって、ドア体を突き上げて開放したとき、安定した状態で保持できる効果がある。
【００５４】
請求項９記載の発明は、請求項１記載の発明の効果に加え、一部のユニットに窓用開口部を設けて窓体を嵌装し、窓体の外側シートの上辺を蝶着シートによって開口部の上側へ枢支し、開口部の両側および窓体の両側の内側シートに止水スライドファスナーを装着し、かつ窓体の外側シートの下辺を延出してその裏面に面ファスナーを装着し、開口部の下側における外側シートの随所に面ファスナーを装着し開閉自在に形成したことによって、エアテントに窓用開口部を設け、かつ窓体も設けて両者を簡単な止水スライドファスナーを用いることにより、完全に防水、気密性が得られる効果がある。
【００５５】
請求項１０記載の発明は、請求項９記載の発明の効果に加え、窓用開口部の下枠部は外向へ傾斜し、窓体の下縁部は開口部の傾斜と合致する形に形成し、かつ窓体の内側下方に引手を装着したことによって、窓用開口部と窓体は簡単な構造で排水性を備えさせることができ、かつ窓体の開閉操作が容易にできる効果がある。
【００５６】
請求項１１記載の発明は、請求項６または９記載の発明の効果に加え、ユニット１に設けた出入口および窓用開口部の上側の内側シート部分に防虫ネットを巻上げ式に配置し、該防虫ネットの左右両側および先端に面ファスナーを装着し、出入口および窓用開口部の左右両側および下側の三方の内側シ−トに面ファスナーを装着して防虫ネットを固定可能に形成したことによって、エアテントの出入口および窓用開口部に簡単に防虫ネットを張設することができ、防虫および通気性がよく快適なテント生活ができる効果があるなど、この発明が奏する効果はきわめて顕著である。
【図面の簡単な説明】
【図１】球形体ユニット、半円形体ユニットからなるエアテントの分解斜視図である。
【図２】各ユニットの連結部および床シートに配設する止水スライドファスナーの配置を示す概略図である。
【図３】各ユニットを連結する止水スライドファスナーの配置を示す図２におけるＡ−Ａ断面図である。
【図４】止水スライドファスナーの断面図である。
【図５】第１図のエアテントの平面図である。
【図６】同上エアテントの正面図である。
【図７】同上エアテントの断面図である。
【図８】ユニットに設置したドア装置の断面図である。
【図９】ユニットに設置した窓体装置の断面図である。
【図１０】ユニットに設けたアンカー取付機構および床マット設置機構を示す説明図である。
【図１１】分岐ユニット、半円形体ユニット、球形体ユニットからなるエアテントの分解斜視図である。
【図１２】同上エアテントの組立て平面図である。
【図１３】分岐ユニット、半円形体ユニット、球形体ユニットからなるエアテントの組立て平面図である。
【図１４】半円形体ユニット、扇形体ユニット、球形体ユニットからなるエアテントの組立て平面図である。
【図１５】半円形体ユニット、扇形体ユニットからなるエアテントの組立て平面図である。
【符号の説明】
１        ユニット
３        中空体
４        外側シート
５        内側シート
６        連結シート
８        床シート
９        連結部
１０        止水スライドファスナー
１１        面ファスナー
１２        ストリンガ
１６        給排気口
１７        球形体ユニット
１８        半円形体ユニット
１９        扇形体ユニット
２０        分岐ユニット
２１        ドア体
２２        出入口
２３        蝶着シート
２４        敷居
２５        支柱保持具
２６        支柱
２７        補強リング
２８        アンカー
２９        取付金具
３０        引手
３１        防虫ネット
３２        吊り金具
３３        床マット
３５        窓体
３６        窓用開口部
３７        下枠部
３８        下縁部
【図１】
0003763780.tif 000002
【図２】
0003763780.tif 000003
【図３】
0003763780.tif 000004
【図４】
0003763780.tif 000005
【図５】
0003763780.tif 000006
【図６】
0003763780.tif 000007
【図７】
0003763780.tif 000008
【図８】
0003763780.tif 000009
【図９】
0003763780.tif 000010
【図１０】
0003763780.tif 000011
【図１１】
0003763780.tif 000012
【図１２】
0003763780.tif 000013
【図１３】
0003763780.tif 000014
【図１４】
0003763780.tif 000015
【図１５】
0003763780.tif 000016